【手続補正書】
【提出日】平成30年3月2日(2018.3.2)
【手続補正１】
【補正対象書類名】明細書
【補正対象項目名】発明の名称
【補正方法】変更
【補正の内容】
【発明の名称】リモートコントローラ、空調管理装置、空調管理システムおよびプログラム
【手続補正２】
【補正対象書類名】明細書
【補正対象項目名】０００１
【補正方法】変更
【補正の内容】
【０００１】
本発明は、リモートコントローラ、空調管理装置、空調管理システムおよびプログラム
に関する。
【手続補正３】
【補正対象書類名】明細書
【補正対象項目名】０００７
【補正方法】変更
【補正の内容】
【０００７】
上記目的を達成するため、本発明に係るリモートコントローラは、
空調室内機に対応して個別に設置されるリモートコントローラであって、
ユーザが前記空調室内機を起動する際に開示する識別情報を取得して、前記空調室内機を起動する前記ユーザを特定する識別情報取得部と、
前記識別情報取得部が取得した前記識別情報を空調管理装置に送信する識別情報送信部と、
前記空調管理装置から、前記識別情報が識別する前記ユーザの空調設定に基づいて生成された前記空調室内機の運転を指示する制御情報を受信する制御情報受信部と、
前記制御情報受信部が受信した前記制御情報に従って、前記空調室内機を制御する空調機制御部と、を備える。
【手続補正４】
【補正対象書類名】明細書
【補正対象項目名】０００８
【補正方法】変更
【補正の内容】
【０００８】
本発明によれば、制御情報受信部が、空調管理装置から、識別情報が識別するユーザの空調設定に基づいて生成された空調室内機の運転を指示する制御情報を受信すると、空調機制御部が、制御情報受信部が受信した制御情報に従って、空調室内機を制御する。これにより、ユーザは設定を変更する手間なく、容易に好みの設定で当該空調機を動作させることができる。
【手続補正５】
【補正対象書類名】明細書
【補正対象項目名】００４０
【補正方法】変更
【補正の内容】
【００４０】
図１０は、実施の形態に係る空調管理処理の動作の一例を示すフローチャートである。空調管理処理は、リモコン１０ａ（１０ｂ）と、空調設定コントローラ２０と、サーバ５０とが起動すると開始する。
【手続補正６】
【補正対象書類名】特許請求の範囲
【補正対象項目名】全文
【補正方法】変更
【補正の内容】
【特許請求の範囲】
【請求項１】
空調室内機に対応して個別に設置されるリモートコントローラであって、
ユーザが前記空調室内機を起動する際に開示する識別情報を取得して、前記空調室内機を起動する前記ユーザを特定する識別情報取得部と、
前記識別情報取得部が取得した前記識別情報を空調管理装置に送信する識別情報送信部と、
前記空調管理装置から、前記識別情報が識別する前記ユーザの空調設定に基づいて生成された前記空調室内機の運転を指示する制御情報を受信する制御情報受信部と、
前記制御情報受信部が受信した前記制御情報に従って、前記空調室内機を制御する空調機制御部と、を備える、
リモートコントローラ。
【請求項２】
空調室内機に対応して個別に設置されるリモートコントローラであって、
ユーザが前記空調室内機を起動する際に開示する識別情報を取得して、前記空調室内機を起動する前記ユーザを特定する識別情報取得部と、
前記識別情報が識別する前記ユーザに対応付けられた個人の空調設定を示す設定情報を記憶する設定情報記憶部と、
前記設定情報にもとづいて、前記空調室内機の運転を指示する制御情報を生成して送信する制御情報送信部と、
前記制御情報送信部が生成した前記制御情報に従って、前記空調室内機を制御する空調機制御部と、を備える、
リモートコントローラ。
【請求項３】
前記識別情報取得部は、ＲＦＩＤタグリーダであって、
前記識別情報は、前記ユーザが所持するＩＤカードに埋め込まれたＲＦＩＤタグが記憶する前記ユーザを識別するＩＤ情報である、
請求項１または請求項２に記載のリモートコントローラ。
【請求項４】
前記識別情報取得部は、磁気カードリーダであって、
前記識別情報は、前記ユーザが所持する磁気カードに記憶された前記ユーザを識別するＩＤ情報である、
請求項１または請求項２に記載のリモートコントローラ。
【請求項５】
前記識別情報取得部は、生体認証装置であって、
前記識別情報は、前記ユーザ固有の生体情報である、
請求項１または請求項２に記載のリモートコントローラ。
【請求項６】
空調室内機に対応して個別に設置されるリモートコントローラから、ユーザが前記空調室内機を起動する際に開示される識別情報により特定されるユーザ情報を受信する識別情報受信部と、
前記識別情報が識別する、前記ユーザに対応付けられた個人の空調設定を示す設定情報を記憶する設定情報記憶部と、
前記設定情報にもとづいて、前記空調室内機の運転を指示する制御情報を生成し、前記リモートコントローラに送信する制御情報送信部と、を備える、
空調管理装置。
【請求項７】
空調室内機に対応して個別に設置されるリモートコントローラから、ユーザが前記空調室内機を起動する際に開示される識別情報により特定されるユーザ情報を受信する識別情報受信部と、
前記識別情報が識別する、前記ユーザに対応付けられた個人の空調設定を示す設定情報を受信する設定情報受信部と、
前記設定情報にもとづいて、前記空調室内機の運転を指示する制御情報を生成し、前記リモートコントローラに送信する制御情報送信部と、を備える、
空調管理装置。
【請求項８】
前記リモートコントローラから前記ユーザ情報のかわりに送信される前記空調室内機の起動を開始する操作情報を受信する操作情報受信部を備え、
前記制御情報送信部は、前記操作情報受信部が前記操作情報を受信すると、前回の起動時の空調設定と前回の運転終了時の空調設定とのどちらかでの運転を指示する制御情報を生成し、前記リモートコントローラに送信する、
請求項６または請求項７に記載の空調管理装置。
【請求項９】
前記設定情報記憶部は、デフォルトの空調設定を示す標準の設定情報をさらに記憶し、
前記制御情報送信部は、前記設定情報記憶部に前記識別情報に対応する個人の設定情報が存在しない場合、前記標準の設定情報を用いて前記制御情報を生成する、
請求項６に記載の空調管理装置。
【請求項１０】
前記設定情報記憶部は、前記ユーザごとに、季節それぞれに対応する空調設定を記憶する、
請求項６または請求項９に記載の空調管理装置。
【請求項１１】
前記設定情報記憶部は、前記ユーザごとの空調設定の変更の可否を記憶する、
請求項６、９、１０のいずれか１項に記載の空調管理装置。
【請求項１２】
ユーザが空調室内機を起動する際に開示する識別情報を取得して、前記空調室内機を起動する前記ユーザを特定する識別情報取得部と、
前記識別情報が識別する前記ユーザに対応付けられた個人の空調設定を示す設定情報を記憶する設定情報記憶部と、
前記設定情報にもとづいて、前記空調室内機の運転を指示する制御情報を生成して送信する制御情報送信部と、
前記制御情報送信部が生成した前記制御情報に従って、前記空調室内機を制御する空調機制御部と、を備える、
空調管理システム。
【請求項１３】
コンピュータを、
ユーザが空調室内機を起動する際に開示する識別情報を取得して、前記空調室内機を起動する前記ユーザを特定する識別情報取得部、
前記識別情報が識別する前記ユーザに対応付けられた個人の空調設定を示す設定情報を記憶する設定情報記憶部、
前記設定情報にもとづいて、前記空調室内機の運転を指示する制御情報を生成して送信する制御情報送信部、
前記制御情報送信部が生成した前記制御情報に従って、前記空調室内機を制御する空調機制御部、
として機能させるためのプログラム。